(57)【特許請求の範囲】
【請求項１】
リングネットワーク上で伝送制御を行う伝送装置において、
特定のチャネルをＢＬＳＲ救済対象外設定であるＮＵＴ設定にするためのＮＵＴ設定情報を中継する設定情報中継手段と、
前記ＮＵＴ設定情報により、チャネルをＮＵＴ設定するか否かを判定して、ＮＵＴのチャネルを確立するチャネル確立手段と、
障害回避経路にＮＵＴ確立区間がなければ経路切り替えを行い、ＮＵＴ確立区間があれば経路切り替えを行わない経路切り替え制御手段と、
を有し、
前記設定情報中継手段は、前記ＮＵＴ設定情報にＮＵＴ設定の確立要求メッセージを含めて送信し、返信された正常応答を受信した後に確立実行メッセージを送信し、
前記チャネル確立手段は、前記確立実行メッセージを受信した後に、ＮＵＴのチャネルを確立する、
ことを特徴とする伝送装置。
【請求項２】
前記設定情報中継手段は、オーバヘッドバイトのＤバイトを利用して、前記ＮＵＴ設定情報を中継することを特徴とする請求項１記載の伝送装置。
【請求項３】
前記設定情報中継手段は、前記ＮＵＴ設定情報の中のテーブル情報として、ＮＵＴのチャネルを確立すべき開始・終了区間を示す開始伝送装置ＩＤ及び終了伝送装置ＩＤと、Basic NUTまたはEnhanced NUTいずれかを示すＮＵＴ設定の種類と、East方向またはWest方向いずれかの中継方向とを含み、前記チャネル確立手段は、前記テーブル情報を書き込むべき、指定された書き込みアドレスを介して、ＮＵＴのチャネルを認識して確立することを特徴とする請求項１記載の伝送装置。
【請求項４】
開始伝送装置内の前記設定情報中継手段に、前記ＮＵＴ設定情報を外部から設定することにより、開始伝送装置と終了伝送装置との間で前記ＮＵＴ設定情報が中継されて、ＮＵＴのチャネルが確立することを特徴とする請求項１記載の伝送装置。
【請求項５】
任意の伝送装置内の前記設定情報中継手段から、リングネットワーク内すべての伝送装置に前記ＮＵＴ設定情報を中継することにより、設定すべき区間で、ＮＵＴのチャネルを確立することを特徴とする請求項１記載の伝送装置。
【請求項６】
障害が発生した端でライン切り替えを行う障害端切り替えのＢＬＳＲの場合、障害端に位置する伝送装置内の前記経路切り替え制御手段は、障害発生時、障害回避経路にＮＵＴ確立区間がなければ経路切り替えを行い、ＮＵＴ確立区間があれば経路切り替えを行わないことを特徴とする請求項１記載の伝送装置。
【請求項７】
パス端でライン切り替えを行うパス端切り替えのSubmarine BLSRの場合、パス端に位置する伝送装置内の前記経路切り替え制御手段は、障害発生時、障害回避経路にＮＵＴ確立区間がなければ経路切り替えを行い、ＮＵＴ確立区間があれば経路切り替えを行わないことを特徴とする請求項１記載の伝送装置。
【発明の詳細な説明】
【０００１】
【発明の属する技術分野】
本発明は伝送装置に関し、特に、リングネットワーク上で伝送制御を行う伝送装置に関する。
【０００２】
【従来の技術】
ディジタル伝送の信号階層多重化方式として、ＳＤＨ／ＳＯＮＥＴが標準化され、経済的なディジタルネットワークの開発が進んでいる。また、ＳＯＮＥＴノードで構成したリング状のネットワークとしては、ＢＬＳＲ（Bi-directional Line Switched Ring）が広く採用されている。ＢＬＳＲは、ノード間の各経路を双方向に２重化し、一方の経路に障害が発生した場合には、他方の経路に切り替える形態を持つリングネットワークである。
【０００３】
ここで、ＣＨ１〜ＣＨ４８のＯＣ−４８（２．４８８３２０Ｇｂ／ｓ）の伝送を行うＢＬＳＲを考えると、ライン中のＣＨ１〜ＣＨ２４はワーキングパスグループに、ＣＨ２５〜ＣＨ４８はプロテクションパスグループというように、それぞれのパスグループに２４チャネル割り当てられる（チャネルの半分はプロテクション用に確保される）。
【０００４】
そして、このＢＬＳＲの通常の障害回避方法では、ワーキングパスグループを含むラインに障害が発生すると、ワーキングパスグループ内の全２４チャネルが逆方向のライン中のプロテクションパスグループに強制的に切り替えられる。このため、プロテクションパスグループ内のチャネルを、他の回線に使用している場合も障害発生時は、ワーキングパスグループの救済に占有されることになる。
【０００５】
一方、近年では、ＮＵＴ（Non-preemptable Unprotected Traffic）と呼ばれるＢＬＳＲの障害救済制御が注目されている。このＮＵＴを設定することで、該当のチャネルを救済対象から外すことができる（上記の例でいえば、ＣＨ２にＮＵＴ設定をしたとすると、ラインの切り替えの際、救済対象外となったＣＨ２は切り替えが行われない）。また、ＮＵＴには、Basic NUTとEnhanced NUTの２種類がある。
【０００６】
図２１はBasic NUTを説明するための図である。ノード１０１〜１０４によって、ＢＬＳＲのリングネットワークが構成されている。また、ノード１０１〜１０４の各ノード間の経路をスパンＳｐ１〜Ｓｐ４とする。
【０００７】
Basic NUTでは、ワーキングパスグループとプロテクションパスグループ内の対になるチャネルにＮＵＴ設定が行われる。また、リングネットワークのすべてのスパンに対して、該当のＮＵＴ設定が行われる。
【０００８】
例えば、ワーキングパスグループ内のＣＨ１を救済対象外とする場合には、ＣＨ１に対応するプロテクションパスグループ内のＣＨ２５も救済対象外となる。そして、スパンＳｐ１〜Ｓｐ４のすべてに対して、このＮＵＴ設定が行われる。
【０００９】
図２２はEnhanced NUTを説明するための図である。Enhanced NUTでは、ワーキングパスグループ内、プロテクションパスグループ内の個別のチャネルに、かつスパン単位でＮＵＴ設定が行われる。
【００１０】
例えば、スパンＳｐ１のみにワーキングパスグループ内のＣＨ１を救済対象外とするＮＵＴ設定を行ったり、スパンＳｐ２のみにプロテクションパスグループ内のＣＨ４８を救済対象外とするＮＵＴ設定を行うことができる。
【００１１】
【発明が解決しようとする課題】
しかし、従来のＮＵＴ設定制御では、オペレータが各ノード個別に設定指示を与えて、ＮＵＴを設定していたため、非効率的で利便性が悪いといった問題があった。従来では、リングネットワーク内で効率のよいＮＵＴ設定の自動構築が行われていなかった。
【００１２】
また、従来のＮＵＴ設定制御では、例えば、各ノードでＮＵＴ設定が確立される際に、障害等の理由でＮＵＴを設定すべき情報が正確に伝搬されない場合には、誤ったＮＵＴ設定が確立してしまうおそれがあり、運用効率及び伝送品質の低下を引き起こす等の問題があった。
【００１３】
本発明はこのような点に鑑みてなされたものであり、ＮＵＴ設定を効率よく高精度に自動構築し、伝送品質の向上を図った伝送装置を提供することを目的とする。
【００１４】
【課題を解決するための手段】
本発明では上記課題を解決するために、図１に示すような、リングネットワーク上で伝送制御を行う伝送装置１０において、特定のチャネルを救済対象外とする設定情報を中継する設定情報中継手段１１と、設定情報により、チャネルを救済対象外とするか否かを判定して、救済対象外のチャネルを確立するチャネル確立手段１２と、障害回避経路にＮＵＴ確立区間がなければ経路切り替えを行い、ＮＵＴ確立区間があれば経路切り替えを行わない経路切り替え制御手段１３と、を有することを特徴とする伝送装置１０が提供される。
【００１５】
ここで、設定情報中継手段１１は、特定のチャネルを救済対象外とする設定情報を中継する。チャネル確立手段１２は、設定情報により、チャネルを救済対象外とするか否かを判定して、救済対象外のチャネルを確立する。経路切り替え制御手段１３は、障害回避経路にＮＵＴ確立区間がなければ経路切り替えを行い、ＮＵＴ確立区間があれば経路切り替えを行わない。設定情報中継手段１１は、ＮＵＴ設定情報にＮＵＴ設定の確立要求メッセージを含めて送信し、返信された正常応答を受信した後に確立実行メッセージを送信し、チャネル確立手段１２は、確立実行メッセージを受信した後に、ＮＵＴのチャネルを確立する。
【００１６】
【発明の実施の形態】
以下、本発明の実施の形態を図面を参照して説明する。図１は本発明の伝送システムの原理図である。伝送システム１は、伝送装置(ノード)１０が伝送媒体（光ファイバケーブル）Ｌにより、リング状に接続して構成されるリングネットワークであり、チャネル救済に関する制御を行って、伝送制御を行うシステムである。なお、以降では、本発明の伝送システム１をＳＯＮＥＴリングのＢＬＳＲに適用した場合について説明する。
【００１７】
伝送装置１０は、設定情報中継手段１１、チャネル確立手段１２、経路切り替え制御手段１３から構成される。設定情報中継手段１１は、特定のチャネルを救済対象外とする設定情報を中継する（以下、特定チャネルを救済対象外と設定することをＮＵＴ設定と呼ぶ）。
【００１８】
設定情報（ＮＵＴ設定情報）はＮＵＴテーブル情報を有する。ＮＵＴテーブル情報は、ＮＵＴのチャネルを確立すべき開始・終了区間を示す開始伝送装置ＩＤ及び終了伝送装置ＩＤと、Basic NUTまたはEnhanced NUTいずれかのＮＵＴ設定の種類を示す情報と、East方向またはWest方向いずれかの中継方向を示す情報とを含んでいる。また、ＮＵＴ設定情報は、ＳＯＮＥＴオーバヘッドバイトのＤバイトに挿入される（図９〜図１２で後述）。
【００１９】
チャネル確立手段１２は、このようなＮＵＴ設定情報により、自装置が該当のチャネルをＮＵＴ設定するか否かを判定し、ＮＵＴ設定を行うと判定した場合には（自装置がＮＵＴ確立区間内にあると判定した場合には）、テーブル情報を書き込むべき、指定された書き込みアドレスを介して、ＮＵＴのチャネルを認識して、該当チャネルのＮＵＴを確立する。また、ＮＵＴが確立したチャネルの情報はレジスタで保持される。
【００２０】
経路切り替え制御手段１３は、ＮＵＴ確立の区間及び障害発生時のＢＬＳＲの障害回避制御状態を認識し、認識結果に応じて、経路の切り替え制御を行う。経路切り替え制御手段１３については、図１５以降で後述する。
【００２１】
次に本発明によるＮＵＴの設定から確立までの動作について説明する。図２はＮＵＴの設定から確立までの動作を示す図である。図は、各伝送装置（以下、伝送装置をノードと呼ぶ）が２つのリンクでリング状に接続されたＢＬＳＲリングネットワークの一部分を示しており、それぞれのリンクＬ１、Ｌ２にワーキングパスグループ／プロテクションパスグループがある。
【００２２】
障害回避としては例えば、リンクＬ１のワーキングパスグループ運用中にライン障害が発生した場合は、リンクＬ２のプロテクションパスグループを用いて障害回避を行い、リンクＬ２のワーキングパスグループ運用中にライン障害が発生した場合には、リンクＬ１のプロテクションパスグループを用いて障害回避を行う。また、ここではノードＮ１をＮＵＴ設定の開始ノード、ノードＮ３を終了ノードとして、ノードＮ１〜Ｎ３間でＮＵＴ設定・確立を行うものとする。
【００２３】
〔Ｓ１〕オペレータは、まず、開始ノードＮ１に対して、ＮＵＴ設定情報を設定する。ここでは、ＮＵＴ設定情報内のＮＵＴテーブル情報に、開始ノードＩＤをＮ１、終了ノードＩＤをＮ３、中継方向をWestからEastとして設定する。なお、実際にはBasic NUTかEnhanced NUTかの指定等も行うが、説明を簡潔に行うために必要な項目のみを用いて以下説明する。
【００２４】
〔Ｓ２〕ノードＮ１内のチャネル確立手段１２は、外部から設定された情報にもとづいて、該当のチャネルのＮＵＴを確立する。なお、ＮＵＴとして確立されるべきチャネルは、ＮＵＴ設定情報の書き込みアドレスに対応して決められている（図１３、１４で後述）。
【００２５】
〔Ｓ３〕ノードＮ１内の設定情報中継手段１１は、ＮＵＴ設定情報を中継する。この場合、ＮＵＴテーブル情報が示す中継方向のノードに送信する（West→EastなのでノードＮ２へ送信する）。
【００２６】
〔Ｓ４〕ノードＮ２内のチャネル確立手段１２は、中継されたＮＵＴ設定情報にもとづいて、自身がＮＵＴ確立区間内のノードであることを認識し、ＮＵＴのチャネル確立を行う。また、設定情報中継手段１１は、ＮＵＴテーブル情報により、ＮＵＴテーブル情報が示す中継方向のノードＮ３に、ＮＵＴ設定情報を送信する。
【００２７】
〔Ｓ５〕ノードＮ３内のチャネル確立手段１２は、中継されたＮＵＴ設定情報にもとづいて、自身がＮＵＴ確立区間内のノードであることを認識し、ＮＵＴのチャネル確立を行う。また、設定情報中継手段１１は、ＮＵＴテーブル情報から自身が終了ノードであると判断して、ＮＵＴ設定情報の中継制御を停止する。
【００２８】
このように、開始ノード内の設定情報中継手段１１に、ＮＵＴ設定情報を外部から設定することにより、開始ノードと終了ノードとの間でＮＵＴ設定情報が中継されて、ＮＵＴのチャネルが確立する。
【００２９】
次に任意のノードからＮＵＴ設定情報を設定して、指定区間でＮＵＴチャネルが確立する際の動作について説明する。図３はＮＵＴの設定から確立までの動作を示す図である。図は、ノードＮ１〜Ｎ６がリンクＬ１、Ｌ２で接続されたＢＬＳＲリングネットワークである。そして、このネットワークに対して、ノードＮ１をＮＵＴ設定の開始ノード、ノードＮ３を終了ノードとして、ノードＮ１〜Ｎ３間でＮＵＴ確立を行うものとする。
【００３０】
〔Ｓ１１〕オペレータは、まず、任意のノードとしてノードＮ５に対して、ＮＵＴ設定情報を設定する。ここでは、ＮＵＴ設定情報内のＮＵＴテーブル情報に、開始ノードＩＤをＮ１、終了ノードＩＤをＮ３、中継方向をWestからEastとして設定する。また、さらに送信ノードＩＤの項目を加えて、Ｎ５を設定する。
【００３１】
〔Ｓ１２〕ノードＮ５内のチャネル確立手段１２は、自身がＮＵＴ確立区間内のノードではないと判断する。また、設定情報中継手段１１は、ＮＵＴ設定情報を中継する。この場合、ＮＵＴテーブル情報が示す中継方向のノードに送信する（West→EastなのでノードＮ６へ送信する）。
【００３２】
〔Ｓ１３〕ノードＮ６内のチャネル確立手段１２は、中継されたＮＵＴ設定情報から、自身がＮＵＴ確立区間内のノードではないと判断する。また、設定情報中継手段１１は、ＮＵＴテーブル情報により、ノードＮ１にＮＵＴ設定情報を送信する。
【００３３】
〔Ｓ１４〕ノードＮ１内のチャネル確立手段１２は、中継されたＮＵＴ設定情報にもとづいて、自身がＮＵＴ確立区間内のノードであることを認識し、ＮＵＴのチャネル確立を行う。また、設定情報中継手段１１は、ＮＵＴテーブル情報により、ノードＮ２へＮＵＴ設定情報を送信する。
【００３４】
〔Ｓ１５〕ノードＮ２内のチャネル確立手段１２は、中継されたＮＵＴ設定情報にもとづいて、自身がＮＵＴ確立区間内のノードであることを認識し、ＮＵＴのチャネル確立を行う。また、設定情報中継手段１１は、ＮＵＴテーブル情報により、ノードＮ３にＮＵＴ設定情報を送信する。
【００３５】
〔Ｓ１６〕ノードＮ３内のチャネル確立手段１２は、中継されたＮＵＴ設定情報にもとづいて、自身がＮＵＴ確立区間内のノードであることを認識し、ＮＵＴのチャネル確立を行う。また、設定情報中継手段１１は、ＮＵＴテーブル情報により、送信ノードＩＤがＮ５であるから、さらにＮＵＴ設定情報を中継送信する。
【００３６】
〔Ｓ１７〕ノードＮ４内のチャネル確立手段１２は、中継されたＮＵＴ設定情報から、自身がＮＵＴ確立区間内のノードではないと判断する。また、設定情報中継手段１１は、ＮＵＴテーブル情報により、送信ノードＩＤがＮ５であるから、さらにＮＵＴ設定情報を中継送信する。
【００３７】
〔Ｓ１８〕ノードＮ５内の設定情報中継手段１１は、送信ノードＩＤ＝Ｎ５のＮＵＴ設定情報を受信すると、ＮＵＴ設定情報が一巡したと認識して、中継制御を停止する。
【００３８】
このように、任意のノード内の設定情報中継手段１１から、リングネットワーク内すべてのノードにＮＵＴ設定情報を中継することにより、設定すべき区間で、ＮＵＴのチャネルを確立する。
【００３９】
次に図２、図３で上述した動作を行う際のノードの構成について説明する。図４はノードの構成を示す図である。ノード１０−１は、ＮＵＴ設定情報管理部１１ａ、ＮＵＴ設定情報中継部１１ｂ、チャネル確立手段１２から構成される。なお、ＮＵＴ設定情報管理部１１ａ、ＮＵＴ設定情報中継部１１ｂは設定情報中継手段１１に含まれる。
【００４０】
ＮＵＴ設定情報管理部１１ａは、外部設定または中継送信されてきたＮＵＴ設定情報（ＮＵＴテーブル情報を含む）を格納・管理する。チャネル確立手段１２は、格納・管理したＮＵＴ設定情報にもとづいて、ＮＵＴチャネル確立を行う。
【００４１】
また、ＮＵＴ設定情報中継部１１ｂは、図に示すテーブルＴ１にもとづいて、受信したＮＵＴ設定情報の中継制御を行う。テーブルＴ１の構成は、ＮＵＴテーブル情報内に、送信ノードＩＤなしの場合と、送信ノードＩＤありの場合とに大きく分けられる。
【００４２】
送信ノードＩＤがなしの場合、自ノードがＮＵＴ確立区間の開始ノードまたはＮＵＴ確立区間内の中継ノードであれば、ＮＵＴ設定情報を中継送信する。また、自ノードがＮＵＴ確立区間の終了ノードならば、ＮＵＴ設定情報の中継を停止する。
【００４３】
送信ノードＩＤがありの場合は、自ノードがＮＵＴ確立区間の開始ノードまたはＮＵＴ確立区間内の中継ノードであれば、ＮＵＴ設定情報を中継送信する。さらに、自ノードがＮＵＴ確立区間の終了ノードまたはＮＵＴ確立区間外のノードであれば、ＮＵＴ設定情報を中継送信する。また、自ノードが送信ノードならば、ＮＵＴ設定情報の中継を停止する。
【００４４】
次にＮＵＴの確立要求から確立実行のメッセージを中継して、指定区間でＮＵＴチャネルが確立する際の動作について説明する。図５はＮＵＴの設定から確立までの動作を示す図である。ＢＬＳＲリングネットワークの一部分に対し、ノードＮ１をＮＵＴ設定の開始ノード、ノードＮ３を終了ノードとして、ノードＮ１〜Ｎ３間でＮＵＴ確立を行うものとする。
【００４５】
〔Ｓ２１〕オペレータは、まず、開始ノードＮ１に対して、ＮＵＴ設定情報を設定する。ＮＵＴ設定情報内のＮＵＴテーブル情報に、開始ノードＩＤをＮ１、終了ノードＩＤをＮ３、中継方向をWestからEastと設定する。
【００４６】
〔Ｓ２２〕ノードＮ１内の設定情報中継手段１１は、ＮＵＴ設定情報にＮＵＴ確立要求のメッセージを含めて、ＮＵＴテーブル情報が示す中継方向のノードに送信し、ＮＵＴ確立要求を含むＮＵＴ設定情報は、ノードＮ２を介して、終了ノードＮ３まで送信される。
【００４７】
〔Ｓ２３〕ノードＮ１〜Ｎ３では、ＮＵＴテーブル情報等のＮＵＴ確立に必要な情報が保持される。
〔Ｓ２４〕ノードＮ３の設定情報中継手段１１は、応答として、ＮＵＴ確立要求をノードＮ２を介して、ノードＮ１へ送り返す。
【００４８】
〔Ｓ２５〕ノードＮ１がＮＵＴ確立要求を受信すると、チャネル確立手段１２は、該当のチャネルのＮＵＴを確立する。
〔Ｓ２６〕設定情報中継手段１１は、ＮＵＴ確立実行のメッセージを含んだＮＵＴ設定情報をノードＮ２を介して、終了ノードＮ３まで送信する。
【００４９】
〔Ｓ２７〕ノードＮ２、Ｎ３は、ＮＵＴ確立実行を受信すると、それぞれのチャネル確立手段１２は、保持しておいた情報にもとづいて、ＮＵＴチャネル確立を行う。
【００５０】
〔Ｓ２８〕ノードＮ３は、ＮＵＴチャネル確立を行った後に、設定情報中継手段１１は、ＮＵＴ確立実行をノードＮ２を介して、ノードＮ１へ送り返す。
〔Ｓ２９〕ノードＮ１内の設定情報中継手段１１は、ＮＵＴ確立実行を受信すると、ＮＵＴチャネル確立が行われたものとみなして、中継制御を停止する。
【００５１】
次に任意のノードからＮＵＴ設定情報を設定して、ＮＵＴ設定の確立要求から確立実行のメッセージを中継して、指定区間でＮＵＴチャネルが確立する際の動作について説明する。図６、図７はＮＵＴの設定から確立までの動作を示す図である。
【００５２】
図は、ノードＮ１〜Ｎ６がリング状に接続されたＢＬＳＲリングネットワークである。そして、このネットワークに対して、ノードＮ１をＮＵＴ設定の開始ノード、ノードＮ３を終了ノードとして、ノードＮ１〜Ｎ３間でＮＵＴ確立を行うものとする。なお、図６はステップＳ３１〜Ｓ３４までを示し、図７はステップＳ３５〜Ｓ３９を示す。
【００５３】
〔Ｓ３１〕オペレータは、まず、任意のノードとしてノードＮ５に対して、ＮＵＴ設定情報を設定する。ここでは、ＮＵＴ設定情報内のＮＵＴテーブル情報に、開始ノードＩＤをＮ１、終了ノードＩＤをＮ３、中継方向をWestからEastとして設定する。また、さらに送信ノードＩＤの項目を加えて、Ｎ５と設定する。
【００５４】
〔Ｓ３２〕ノードＮ１内の設定情報中継手段１１は、ＮＵＴ設定情報にＮＵＴ確立要求のメッセージを含めて、ＮＵＴテーブル情報が示す中継方向のノードに送信する。ＮＵＴ確立要求を含むＮＵＴ設定情報は、ノードＮ６、Ｎ１、Ｎ２を介して、終了ノードＮ３まで送信される。
【００５５】
〔Ｓ３３〕ノードＮ１〜Ｎ３は、ＮＵＴテーブル情報等のＮＵＴ設定に必要な情報が保持される。
〔Ｓ３４〕ノードＮ３内の設定情報中継手段１１は、ＮＵＴテーブル情報により、送信ノードＩＤがＮ５であるから、ノードＮ４を介し、さらにＮＵＴ確立要求を含むＮＵＴ設定情報を中継送信する。
【００５６】
〔Ｓ３５〕ノードＮ５がＮＵＴ確立要求を含むＮＵＴ設定情報を受信すると、設定情報中継手段１１は、ＮＵＴ確立実行を含んだＮＵＴ設定情報を送信する。〔Ｓ３６〕ＮＵＴ確立実行は、ノードＮ６、Ｎ１、Ｎ２を介して、終了ノードＮ３まで送信される。
【００５７】
〔Ｓ３７〕ノードＮ１〜Ｎ３は、ＮＵＴ確立実行を受信すると、それぞれのチャネル確立手段１２は、保持しておいた情報にもとづいて、ＮＵＴチャネル確立を行う。
【００５８】
〔Ｓ３８〕ノードＮ３は、ＮＵＴチャネル確立を行った後に、設定情報中継手段１１は、ＮＵＴ確立実行を含んだＮＵＴ設定情報をノードＮ４を介して、ノードＮ５へ送り返す。
【００５９】
〔Ｓ３９〕ノードＮ５内の設定情報中継手段１１は、ＮＵＴ確立実行を受信すると、ＮＵＴチャネル確立が行われたものとみなして、中継制御を停止する。
このように、設定情報中継手段１１は、ＮＵＴ設定情報に確立要求メッセージを含めて送信し、返信された正常応答を受信した後に確立実行メッセージを送信し、確立実行メッセージを受信したノード内のチャネル確立手段１２により、ＮＵＴのチャネルが確立する構成とした。
【００６０】
これにより、障害等の理由でＮＵＴを設定すべき情報が正確に伝搬されない場合に、誤ったＮＵＴ設定が確立してしまうといった誤動作を防止することが可能になる。
【００６１】
次に図５〜図７で上述した動作を行う際のノードの構成について説明する。図８はノードの構成を示す図である。ノード１０−２は、ＮＵＴ設定情報管理部１１ａ、ＮＵＴ設定情報中継部１１ｃ、チャネル確立手段１２から構成される。なお、ＮＵＴ設定情報管理部１１ａ、ＮＵＴ設定情報中継部１１ｃは設定情報中継手段１１に含まれる。
【００６２】
ＮＵＴ設定情報管理部１１ａは、外部設定または中継送信されてきたＮＵＴ設定情報（ＮＵＴテーブル情報を含む）を格納・管理する。チャネル確立手段１２は、格納・管理されたＮＵＴ設定情報にもとづいて、ＮＵＴチャネル確立を行う。
【００６３】
また、ＮＵＴ設定情報中継部１１ｃは、図に示すテーブルＴ２にもとづいて、受信したＮＵＴ設定情報（ＮＵＴテーブル情報、ＮＵＴ確立要求、ＮＵＴ確立実行）の中継制御を行う。テーブルＴ２の構成は、ＮＵＴテーブル情報内に、送信ノードＩＤなしの場合と、送信ノードＩＤありの場合とに大きく分けられる。
【００６４】
送信ノードＩＤがなしの場合、自ノードがＮＵＴ確立区間の開始ノードならば、外部設定によるＮＵＴ設定情報の場合は送信、折り返されて中継されてきたＮＵＴ設定情報がＮＵＴ確立要求も含む場合は、ＮＵＴ確立実行を含めてＮＵＴ設定情報を折り返し、また折り返されて中継されてきたＮＵＴ設定情報がＮＵＴ確立実行を含む場合は送信を停止する。ＮＵＴ確立区間内の中継ノードであれば、ＮＵＴ設定情報を中継送信する。さらに、自ノードがＮＵＴ確立区間の終了ノードならば、ＮＵＴ設定情報の折り返し送信を行う。
【００６５】
送信ノードＩＤがありの場合は、自ノードがＮＵＴ確立区間の開始ノードまたはＮＵＴ確立区間内の中継ノードであれば、ＮＵＴ設定情報を中継送信する。さらに、自ノードがＮＵＴ確立区間の終了ノードまたはＮＵＴ確立区間外のノードであれば、ＮＵＴ設定情報を中継送信する。
【００６６】
また、自ノードが送信ノードならば、中継されてきたＮＵＴ設定情報がＮＵＴ確立要求を含む場合は、ＮＵＴ確立実行を含めて、ＮＵＴ設定情報を中継し、中継されてきたＮＵＴ設定情報がＮＵＴ確立実行を含む場合は、ＮＵＴ設定情報の中継を停止する。
【００６７】
なお、上記の説明では、リングネットワークを構成するノード間でＮＵＴ設定情報の送受信を行って、ＮＵＴチャネルを確立したが、各ノード個別に保守端末装置から逐一ＮＵＴ設定を行ってもよい。また、上記では、確立要求から確立実行を中継してＮＵＴのチャネルを確立したが、ＮＵＴ確立の解除を行う場合も同様の操作で、解除要求を中継することにより、ＮＵＴ確立の解除を効率よく行うことができる。
【００６８】
次にＮＵＴ設定情報のフォーマットについて説明する。図９はＮＵＴ設定情報のフォーマットを示す図である。ＮＵＴ設定情報は、ＳＯＮＥＴオーバヘッドバイトのＤバイトに挿入されて、各ノード間で中継される。
【００６９】
ここで、ＢＬＳＲネットワークでは、スケルチ（squelch）と呼ばれる制御が行われる。ＢＬＳＲネットワークでは、複数箇所に障害が発生して、リングネットワークが分断された状態となると、目的ノードに到達できない信号が発生し、その信号が障害救済のためのループバックによって他のノードに伝送される場合がある。すると、誤ったノード間の通信となるから、この場合には、目的ノードに到達できない信号を警報表示信号（ＡＩＳ：Path Alarm Indication Signal）に置換して送信する。このような制御をスケルチと呼ぶ。
【００７０】
このスケルチの情報（スケルチテーブル）はＤバイトを利用して送られる。本発明のＮＵＴ設定情報は、スケルチテーブルと共用してＤバイトを使用する。なお、スケルチについては、本発明とは直接関係ないので、スケルチの詳細説明は省略する。
【００７１】
図に対し、Ｄ６＃２、Ｄ５＃２、＃３、＃４は、ＮＵＴ設定情報とスケルチテーブルを転送する際の共用部分であり、ＮＵＴ設定情報の専用部分は、Ｄバイト内の空きバイトを利用する（New byte）。
【００７２】
図１０〜図１２は各ビットの内容を示す図である。Ｄ６＃２バイトに対し、ビット１は、データ更新中を示すビットであり、データ更新中は“０”となり、新たなＮＵＴ設定情報の書き込みを禁止する。ビット２は“１”固定、ビット３は、４−８ビットに対する奇数パリティビット、ビット４−８は、スケルチテーブル及びＮＵＴテーブルＲＡＭ（図１３、１４で後述）のアドレスを示す。
【００７３】
Ｄ５＃２バイトに対し、ビット１、２はスケルチテーブル専用部分（内容は省略）、ビット３−８は、スケルチテーブル及びＮＵＴテーブルＲＡＭのアドレス下位６ビットを示し、Ｄ６＃２のビット４−８と合わせて、ＮＵＴテーブルＲＡＭのアドレス（１１ビット）を示す。
【００７４】
Ｄ５＃３バイトに対し、ビット１−４は、開始ノードＩＤを示し、ビット５−８は終了ノードＩＤを示す。
Ｄ５＃４バイトに対し、ビット１は、転送する情報の種類を示し、“１”でスケルチテーブル、“０”でＮＵＴ設定情報である。ビット２は、“１”固定である。ビット３−８は、CRC6 Check codeを示し、演算対象ビットは、Ｄ５＃２のビット３−８と、Ｄ５＃３のビット１−８である。
【００７５】
New byteに対し、ビット１は、ＮＵＴの種類を示すビットであり、“１”はBasic NUT、“０”はEnhanced NUTである。ビット２−３は、ＮＵＴテーブル転送状態を示すビットであり、“００”はＮＵＴ設定解除状態、“０１”はＮＵＴ設定解除要求状態、“１０”はＮＵＴ設定確立状態、“１１”はＮＵＴ設定確立要求状態である。ビット４は、中継方向を示すビットであり、“１”はEast→Westであり、“０”はWest→Eastである。ビット５−６は、グループ識別子であり、ＯＣ４８までのＣＨ番号を４グループとして、ＯＣ１９２対応とする（図１３、１４で後述）。ビット７は、“１”固定であり、ビット８は、１−６ビットに対する奇数パリティビットである。なお、上記のフォーマットには送信ノードＩＤは含まれていないが、任意のノードからＮＵＴ設定を行う場合には、Ｄバイトの他の空きバイトのビットを利用して、送信ノードＩＤを挿入する。
【００７６】
図１３、１４は書き込みアドレスとＮＵＴのチャネルとの対応テーブルを示す図である。テーブルＴ３は、各ノードが有するテーブルであり、グループ、ＲＡＭ（ＮＵＴテーブルＲＡＭ）、スパン、ＣＨ−Ｎｏ．（チャネル番号）、Ａｄｄ／Ｄｒｏｐの項目から構成される。図に示すテーブルＴ３は、ＯＣ４８からＯＣ１９２（９．９５３２８０Ｇｂ／ｓ）まで対応可能としている。
【００７７】
グループ０〜３は、ＯＣ１９２の１９２チャネルを、４８チャネル単位に４分割したものであり、グループ０はＣＨ１〜ＣＨ４８、グループ１はＣＨ４９〜ＣＨ９６、グループ２はＣＨ９７〜ＣＨ１４４、グループ３はＣＨ１４５〜ＣＨ１９２となっている。
【００７８】
例えば、ＯＣ４８のＢＬＳＲネットワークならば、テーブルＴ３のグループ０までのところまでが使用され、ＯＣ１９２のＢＬＳＲネットワークならば、グループ０〜グループ３のすべてが使用される。また、グループの指定は、図９で示したNew byteのビット５、６が使用される。
【００７９】
ＲＡＭは、ＮＵＴテーブル情報が格納されるＲＡＭの書き込みアドレスを示しており、図９で示したＤ６＃２のビット４−８と、Ｄ５＃２のビット３−８とが対応する。
【００８０】
スパンは、ノード間の経路番号を示しており、ＢＬＳＲネットワークは最大１６ノードで構成可能なため、１〜１６の値が設定可能である。ＣＨ−Ｎｏ．は、ＮＵＴとなるチャネルを示す。Ａｄｄ／Ｄｒｏｐは、トリビュタリに対するＡｄｄまたはＤｒｏｐを示す。
【００８１】
ここで例えば、受信したＮＵＴ設定情報から、New byteのビット５、６によりグループ０、Ｄ６＃２のビット４−８及びＤ５＃２のビット３−８により、書き込みアドレスが０００と指定されていたならば、スパン１のＣＨ１をＮＵＴチャネルとして確立することになる。
【００８２】
次に経路切り替え制御手段１３について説明する。図１５〜図１７は経路切り替え制御手段１３の動作を説明するための図である。ＢＬＳＲネットワークの障害回避制御として、障害が発生した端のノードで、ライン切り替えを行う障害端切り替え方式の場合における、本発明の適用を示している。
【００８３】
図に示すＢＬＳＲネットワークは、ノードＮ１〜ノードＮ７がリング状に接続されており、各ノード間の経路をスパンＳｐ１〜Ｓｐ７とする。そして、図１５のように、ノードＮ１とノードＮ５で、ノードＮ６、Ｎ７を介し、ＣＨ１を用いて通信を行っており、スパンＳｐ６ではＣＨ２５がＮＵＴチャネルとして確立しているものとする。このような状態で、スパンＳｐ７で回線障害が発生した場合を考える。
【００８４】
図１６に示すように、ＮＵＴが設定されていないＢＬＳＲネットワークであるならば、障害端のノードＮ１及びノードＮ７内の経路切り替え制御手段１３は、ＣＨ１からＣＨ２５へのチャネル切り替えを行って（図中、点線）、障害を回避させる。
【００８５】
ところが、ここではノードＮ６、Ｎ７のスパンＳｐ６でＣＨ２５がＮＵＴになっている。したがって、図１７に示すように、ノードＮ１及びノードＮ７内の経路切り替え制御手段１３は、スパンＳｐ７の回線に障害が発生した場合でも、ＮＵＴ設定を優先し、ＣＨ１に対してはＣＨ２５への切り替えを行わない（ＣＨ２５の運用は、障害が発生してＣＨ１が使用できなくなった場合の回避制御よりも優先度が高い）。このため、スパンＳｐ７の回線に障害が発生したとしても、ノードＮ６、Ｎ７間では、ＣＨ２５を用いて、図のようなトリビュタリへのＤｒｏｐを行うことが可能になる。
【００８６】
図１８〜図２０は経路切り替え制御手段１３の動作を説明するための図である。ＢＬＳＲネットワークの障害回避制御として、パス端でライン切り替えを行うパス端切り替え方式（このようなＢＬＳＲネットワークをSubmarine BLSRと呼ぶ）の場合における、本発明の適用を示している。
【００８７】
図に示すＢＬＳＲネットワークは、ノードＮ１〜ノードＮ８がリング状に接続されており、各ノード間の経路をスパンＳｐ１〜Ｓｐ８とする。そして、図１８のように、ノードＮ１とノードＮ６で、ノードＮ７、Ｎ８を介し、ＣＨ１を用いて通信を行っている（ノードＮ１、Ｎ６はパス端のノードである）。また、ノードＮ２、Ｎ３間のスパンＳｐ２でＣＨ２５を用いて通信を行い（ＰＣＡ：Protection Channel Access）、ノードＮ４、Ｎ５間のスパンＳｐ４のＣＨ２５は、ＮＵＴチャネルとして確立しているものとする。このような状態で、スパンＳｐ８で回線障害が発生した場合を考える。
【００８８】
図１９に示すように、ＮＵＴが設定されていないＢＬＳＲネットワークであるならば、障害端のノードＮ１及びノードＮ６内の経路切り替え制御手段１３は、ＣＨ１からＣＨ２５へのチャネル切り替えを行って（図中、点線）、障害を回避させる。したがって、この場合のノードＮ２、Ｎ３間のＣＨ２５は、ＣＨ１の救済用に使用されることになる。
【００８９】
ところが、ここではノードＮ４、Ｎ５のスパンＳｐ４でＣＨ２５がＮＵＴになっている。したがって、図２０に示すように、ノードＮ１及びノードＮ６内の経路切り替え制御手段１３は、スパンＳｐ８の回線に障害が発生した場合でも、ＮＵＴ設定を優先して、ＣＨ１に対してはＣＨ２５への切り替えを行わない。このため、スパンＳｐ８の回線に障害が発生したとしても、ノードＮ２、Ｎ３及びノードＮ４、Ｎ５間では、ＣＨ２５を用いて、図のようにトリビュタリへのＤｒｏｐを行うことが可能になる。
【００９０】
以上説明したように、本発明の伝送装置１０は、ＮＵＴ設定情報を中継し、自装置がチャネルをＮＵＴに確立するか否かを判定して、ＮＵＴの確立を行い、また、ＮＵＴのチャネルが確立されている区間及び障害発生時の障害回避制御状態を認識して、経路の切り替え制御を行う構成とした。これにより、ＢＬＳＲネットワーク内で効率のよいＮＵＴのチャネル確立の自動構築を高精度に行うことができ、伝送品質の向上を図ることが可能になる。
【００９１】
（付記１）  リングネットワーク上で伝送制御を行う伝送装置において、
特定のチャネルを救済対象外とする設定情報を中継する設定情報中継手段と、前記設定情報により、チャネルを救済対象外とするか否かを判定して、救済対象外のチャネルを確立するチャネル確立手段と、
救済対象外のチャネルが確立している区間及び障害発生時の障害回避制御状態を認識し、認識結果に応じて、経路の切り替え制御を行う経路切り替え制御手段と、
を有することを特徴とする伝送装置。
【００９２】
（付記２）  前記設定情報中継手段は、オーバヘッドバイトの空きバイトを利用して、前記設定情報を中継することを特徴とする付記１記載の伝送装置。
（付記３）  前記設定情報中継手段は、前記設定情報の中のＮＵＴテーブル情報として、救済対象外のチャネルを確立すべき開始・終了区間を示す開始伝送装置ＩＤ及び終了伝送装置ＩＤと、救済対象外設定の種類と、中継方向とを含み、前記チャネル確立手段は、前記ＮＵＴテーブル情報を書き込むべき、指定された書き込みアドレスを介して、救済対象外のチャネルを認識して確立することを特徴とする付記１記載の伝送装置。
【００９３】
（付記４）  前記設定情報中継手段は、前記設定情報に確立要求メッセージを含めて送信し、返信された正常応答を受信した後に確立実行メッセージを送信して、前記確立実行メッセージを受信した伝送装置内の前記チャネル確立手段は、救済対象外のチャネルを確立することを特徴とする付記１記載の伝送装置。
【００９４】
（付記５）  開始伝送装置内の前記設定情報中継手段に、前記設定情報を外部から設定することにより、開始伝送装置と終了伝送装置との間で前記設定情報が中継されて、救済対象外のチャネルが確立することを特徴とする付記１記載の伝送装置。
【００９５】
（付記６）  任意の伝送装置内の前記設定情報中継手段から、ネットワーク内すべての伝送装置に前記設定情報を中継することにより、設定すべき区間で、救済対象外のチャネルを確立することを特徴とする付記１記載の伝送装置。
【００９６】
（付記７）  前記障害回避制御状態として、障害が発生した端でライン切り替えを行う障害端切り替えの場合、障害端に位置する伝送装置内の前記経路切り替え制御手段は、障害発生時、障害回避経路に救済対象外のチャネルを確立している区間がなければ経路切り替えを行い、救済対象外のチャネルを確立している区間があれば経路切り替えを行わないことを特徴とする付記１記載の伝送装置。
【００９７】
（付記８）  前記障害回避制御状態として、パス端でライン切り替えを行うパス端切り替えの場合、パス端に位置する伝送装置内の前記経路切り替え制御は、障害発生時、障害回避経路に救済対象外のチャネルを確立している区間がなければ経路切り替えを行い、救済対象外のチャネルを確立している区間があれば経路切り替えを行わないことを特徴とする付記１記載の伝送装置。
【００９８】
（付記９）  ネットワーク上で伝送制御を行う伝送システムにおいて、
特定のチャネルを救済対象外とする設定情報を中継する設定情報中継手段と、前記設定情報により、チャネルを救済対象外とするか否かを判定して、救済対象外のチャネルを確立するチャネル確立手段と、救済対象外のチャネルが確立している区間及び障害発生時の障害回避制御状態を認識し、認識結果に応じて、経路の切り替え制御を行う経路切り替え制御手段と、から構成される複数の伝送装置と、
前記伝送装置をリング状に接続してリングネットワークを構成する伝送媒体と、
を有することを特徴とする伝送システム。
【００９９】
（付記１０）  リングネットワーク上で伝送制御を行う伝送装置において、
特定のチャネルをＢＬＳＲ救済対象外設定であるＮＵＴ設定にするためのＮＵＴ設定情報を中継する設定情報中継手段と、
前記ＮＵＴ設定情報により、チャネルをＮＵＴ設定するか否かを判定して、ＮＵＴのチャネルを確立するチャネル確立手段と、
ＮＵＴ確立の区間及び障害発生時の障害回避制御状態を認識し、認識結果に応じて、経路の切り替え制御を行う経路切り替え制御手段と、
を有することを特徴とする伝送装置。
【０１００】
（付記１１）  前記設定情報中継手段は、オーバヘッドバイトのＤバイトを利用して、前記ＮＵＴ設定情報を中継することを特徴とする付記１０記載の伝送装置。
【０１０１】
（付記１２）  前記設定情報中継手段は、前記ＮＵＴ設定情報の中のＮＵＴテーブル情報として、ＮＵＴのチャネルを確立すべき開始・終了区間を示す開始伝送装置ＩＤ及び終了伝送装置ＩＤと、Basic NUTまたはEnhanced NUTいずれかを示すＮＵＴ設定の種類と、East方向またはWest方向いずれかの中継方向とを含み、前記チャネル確立手段は、前記ＮＵＴテーブル情報を書き込むべき、指定された書き込みアドレスを介して、ＮＵＴのチャネルを認識して確立することを特徴とする付記１０記載の伝送装置。
【０１０２】
（付記１３）  前記設定情報中継手段は、前記ＮＵＴ設定情報に確立要求メッセージを含めて送信し、返信された正常応答を受信した後に確立実行メッセージを送信して、前記確立実行メッセージを受信した伝送装置内の前記チャネル確立手段は、ＮＵＴのチャネルを確立することを特徴とする付記１０記載の伝送装置。
【０１０３】
（付記１４）  開始伝送装置内の前記設定情報中継手段に、前記ＮＵＴ設定情報を外部から設定することにより、開始伝送装置と終了伝送装置との間で前記ＮＵＴ設定情報が中継されて、ＮＵＴのチャネルが確立することを特徴とする付記１０記載の伝送装置。
【０１０４】
（付記１５）  任意の伝送装置内の前記設定情報中継手段から、リングネットワーク内すべての伝送装置に前記ＮＵＴ設定情報を中継することにより、設定すべき区間で、ＮＵＴのチャネルを確立することを特徴とする付記１０記載の伝送装置。
【０１０５】
（付記１６）  前記障害回避制御状態として、障害が発生した端でライン切り替えを行う障害端切り替えのＢＬＳＲの場合、障害端に位置する伝送装置内の前記経路切り替え制御手段は、障害発生時、障害回避経路にＮＵＴ確立区間がなければ経路切り替えを行い、ＮＵＴ確立区間があれば経路切り替えを行わないことを特徴とする付記１０記載の伝送装置。
【０１０６】
（付記１７）  前記障害回避制御状態として、パス端でライン切り替えを行うパス端切り替えのSubmarine BLSRの場合、パス端に位置する伝送装置内の前記経路切り替え制御は、障害発生時、障害回避経路にＮＵＴ確立区間がなければ経路切り替えを行い、ＮＵＴ確立区間があれば経路切り替えを行わないことを特徴とする付記１０記載の伝送装置。
【０１０７】
（付記１８）  ネットワーク上で伝送制御を行う伝送システムにおいて、
特定のチャネルをＢＬＳＲ救済対象外設定であるＮＵＴ設定にするためのＮＵＴ設定情報を中継する設定情報中継手段と、前記ＮＵＴ設定情報により、チャネルをＮＵＴ設定するか否かを判定して、ＮＵＴのチャネルを確立するチャネル確立手段と、ＮＵＴ確立の区間及び障害発生時の障害回避制御状態を認識し、認識結果に応じて、経路の切り替え制御を行う経路切り替え制御手段と、から構成される複数の伝送装置と、
前記伝送装置をリング状に接続してリングネットワークを構成する伝送媒体と、
を有することを特徴とする伝送システム。
【０１０８】
【発明の効果】
以上説明したように、本発明の伝送装置は、特定のチャネルを救済対象外とする設定情報を中継し、設定情報により、チャネルを救済対象外とするか否かを判定して、救済対象外のチャネルを確立する。また、救済対象外のチャネルが確立している区間及び障害発生時の障害回避制御状態を認識して、経路の切り替え制御を行う構成とした。これにより、ネットワーク内で効率のよい救済対象外のチャネル設定の自動構築を高精度に行うことができ、伝送品質の向上を図ることが可能になる。また、障害等の理由でＮＵＴを設定すべき情報が正確に伝搬されない場合であっても、誤ったＮＵＴ設定が確立してしまうといった誤動作を防止して、高精度にＮＵＴ設定の自動構築を行うことが可能になる。
【図面の簡単な説明】
【図１】本発明の伝送システムの原理図である。
【図２】ＮＵＴの設定から確立までの動作を示す図である。
【図３】ＮＵＴの設定から確立までの動作を示す図である。
【図４】ノードの構成を示す図である。
【図５】ＮＵＴの設定から確立までの動作を示す図である。
【図６】ＮＵＴの設定から確立までの動作を示す図である。
【図７】ＮＵＴの設定から確立までの動作を示す図である。
【図８】ノードの構成を示す図である。
【図９】ＮＵＴ設定情報のフォーマットを示す図である。
【図１０】各ビットの内容を示す図である。
【図１１】各ビットの内容を示す図である。
【図１２】各ビットの内容を示す図である。
【図１３】書き込みアドレスとＮＵＴのチャネルとの対応テーブルを示す図である。
【図１４】書き込みアドレスとＮＵＴのチャネルとの対応テーブルを示す図である。
【図１５】経路切り替え制御手段の動作を説明するための図である。
【図１６】経路切り替え制御手段の動作を説明するための図である。
【図１７】経路切り替え制御手段の動作を説明するための図である。
【図１８】経路切り替え制御手段の動作を説明するための図である。
【図１９】経路切り替え制御手段の動作を説明するための図である。
【図２０】経路切り替え制御手段の動作を説明するための図である。
【図２１】  Basic NUTを説明するための図である。
【図２２】  Enhanced NUTを説明するための図である。
【符号の説明】
１  伝送システム
１０  伝送装置
１１  設定情報中継手段
１２  チャネル確立手段
１３  経路切り替え制御手段
Ｌ  伝送媒体
【図１】
0003844982.tif 000002
【図２】
0003844982.tif 000003
【図３】
0003844982.tif 000004
【図４】
0003844982.tif 000005
【図５】
0003844982.tif 000006
【図６】
0003844982.tif 000007
【図７】
0003844982.tif 000008
【図８】
0003844982.tif 000009
【図９】
0003844982.tif 000010
【図１０】
0003844982.tif 000011
【図１１】
0003844982.tif 000012
【図１２】
0003844982.tif 000013
【図１３】
0003844982.tif 000014
【図１４】
0003844982.tif 000015
【図１５】
0003844982.tif 000016
【図１６】
0003844982.tif 000017
【図１７】
0003844982.tif 000018
【図１８】
0003844982.tif 000019
【図１９】
0003844982.tif 000020
【図２０】
0003844982.tif 000021
【図２１】
0003844982.tif 000022
【図２２】
0003844982.tif 000023